(57)【要約】【課題】本発明は、従来のたるみピン及び壁状部材等を用いることなく、端子ピンにからげるステータ巻線の端線にたるみ部を形成することである。【解決手段】本発明によるレゾルバステータの巻線構造及び方法は、輪状ステータ(11)の端子ピン保持部(2)に設けられた端子ピン(3)のＬ字型曲折部(3A)を鋭角とした状態でステータ巻線(12a)の端線(12aA)を端子ピン(3)にからげ、このからげ後に、前記Ｌ字型曲折部(3A)の角度(θ)を鋭角からそれ以上の角度とすることにより、端線(12aA)にたるみ部(12aB)を形成する構成と方法である。【選択図】図１
2016054589.tif 000002
【特許請求の範囲】
【請求項１】
輪状ステータ(11)の両面に一体成形で設けられた絶縁カバー部材(1)と、前記絶縁カバー部材(1)の一部から外方へ突出し複数の端子ピン(3)を有する端子ピン保持部(2)とを備え、前記輪状ステータ(11)に巻回されたステータ巻線(12a)の端線(12aA)を前記端子ピン(3)にからげ、前記端子ピン(3)と前記ステータ巻線(12a)との間の前記端線(12aA)にたるみ部(12aB)を形成するようにしたレゾルバステータの巻線構造において、
前記端線(12aA)をからげる前の前記端子ピン(3)のＬ字形曲折部(3A)は鋭角をなし、前記からげ後の前記Ｌ字形曲折部(3A)は前記鋭角よりも大の角度(θ)とすることにより、前記端線(12aA)に前記たるみ部(12aB)を形成することを特徴とするレゾルバステータの巻線構造。
【請求項２】
前記Ｌ字型曲折部(3A)は、前記端子ピン保持部(2)に形成された凹状空隙(2b)内に露出していることを特徴とする請求項１記載のレゾルバステータの巻線構造。
【請求項３】
前記Ｌ字型曲折部(3A)が前記鋭角よりも大の角度(θ)となる前記角度(θ)は９０度又はそれ以上であることを特徴とする請求項１又は２記載のレゾルバステータの巻線構造。
【請求項４】
輪状ステータ(11)の両面に一体成形で設けられた絶縁カバー部材(1)と、前記絶縁カバー部材(1)の一部から外方へ突出し複数の端子ピン(3)を有する端子ピン保持部(2)とを備え、前記輪状ステータ(11)に巻回されたステータ巻線(12a)の端線(12aA)を前記端子ピン(3)にからげ、前記端子ピン(3)と前記ステータ巻線(12a)との間の前記端線(12aA)にたるみ部(12aB)を形成するようにしたレゾルバステータの巻線方法において、
前記端線(12aA)をからげる前の前記端子ピン(3)のＬ字形曲折部(3A)は鋭角をなし、前記からげ後の前記Ｌ字形曲折部(3A)は前記鋭角よりも大の角度(θ)とすることにより、前記端線(12aA)に前記たるみ部(12aB)を形成することを特徴とするレゾルバステータの巻線方法。
【請求項５】
前記Ｌ字型曲折部(3A)は、前記端子ピン保持部(2)に形成された凹状空隙(2b)内に露出していることを特徴とする請求項４記載のレゾルバステータの巻線方法。
【請求項６】
前記Ｌ字型曲折部(3A)が前記鋭角よりも大の角度(θ)となる前記角度(θ)は９０度又はそれ以上であることを特徴とする請求項４又は５記載のレゾルバステータの巻線方法。
【発明の詳細な説明】
【技術分野】
【０００１】
本発明は、レゾルバステータの巻線構造及び方法に関し、特に、従来のたるみピン及び壁状部材等を用いることなく、端子ピンにからげるステータ巻線の端線にたるみ部を形成するための新規な改良に関する。
【背景技術】
【０００２】
従来、用いられていたこの種のレゾルバステータの巻線構造及び方法としては、例えば、特許文献１に開示された構成を図５に示すことができる。
すなわち、図５において符号１で示されるものは、図示しない周知の輪状ステータの両面に一体又は別体にて設けられた絶縁カバー部材であり、この絶縁カバー部材１の一部からは半径方向に沿って一体に突出する端子ピン保持部２が形成されている。
【０００３】
前記端子ピン保持部２の外縁２ａには、複数の端子ピン３が立設して形成され、前記輪状ステータの内周面には、所定角度間隔で内方に突出する周知の図示しない突出磁極が複数形成されている。
前記各突出磁極の周面には、前記絶縁カバー１の突出部分が覆われており、各突出磁極には、前記絶縁カバー部材１を介して周知の図示しないステータ巻線が巻回されている。
【０００４】
前記ステータ巻線の前記突出磁極に巻回した残りの端線４は、前記各端子ピン３にからげられており、前記端子ピン保持部２上の前記各端子ピン３と前記突出磁極との間の位置には、前記端子ピン３に対応してたるみピン５を貫通させるためのピン挿入孔６が複数形成されている。
【０００５】
前述の構成において、レゾルバの輪状ステータの各突出磁極に対し、前記絶縁カバー部材１を介してステータ巻線を巻回する場合、図５に示されるように、保持体１０に予め植立してある各たるみピン５を各ピン挿入孔６に貫通させ、各たるみピン５を各ピン挿入孔６の上方に突出させる。
【０００６】
前述の構成において、各突出磁極に巻回されたステータ巻線の端線４は、各たるみピン５に接触して曲げられた後に、各端子ピン３にからげられる。
【０００７】
前述の図５の従来構成を断面として示すと、図４のように構成されている。
図４において、輪状ステータ１１の突出磁極１２に前記絶縁カバー部材１を介して巻回されたステータ巻線１２は、前記各突出磁極１２間のスロット(図示せず)内に位置している。
前記輪状ステータ１１の内側には、周知のＶＲ型のロータ１３が回転自在４を介して回転自在に設けられている。
【０００８】
前述の図４及び図５の構成において、前記突出磁極１２に巻回されたステータ巻線１２の端線４は、予め前記ピン挿入孔６内に挿入されている前記たるみピン５の外周を介して前記端子ピン３にからげられ、平面でみると、前記たるみピン５の外周でくの字型に曲折した状態となる。
この状態で、前記たるみピン５をピン挿入孔６から抜き取ると、前述の平面でみてくの字型をなす前記端線４のたるみ部４ａが形成される。
【先行技術文献】
【特許文献】
【０００９】
【特許文献１】特開２００９−２６８２３０号公報
【発明の概要】
【発明が解決しようとする課題】
【００１０】
従来のレゾルバステータの巻線構造及び方法は、以上のように構成されているため、次のような課題が存在していた。
すなわち、一般に、レゾルバステータの１スロット目から端子ピン区間のマグネットワイヤからなるステータ巻線の端線は、特に、熱衝撃時の伸縮で断線することがあり、これを避けるために張力を緩和しておく必要がある。
そのため、前述の図４及び図５の従来構成においては、着脱自在なたるみピンを設けているため、１スロット目から端子ピン間の距離が長くなってしまい、このたるみ部を有するたるみ線が外部からの振動で共振し、断線する可能性もあることから、この部分の端線をワニスによって端子ピン保持部上に固定させる必要があった。
【００１１】
従って、このワニスによる端線の固定処理は、レゾルバの大量生産時における大きいネックとなっており、そのために、このワニスを廃止しようとした場合、１スロット目から端子ピン区間の端子ピン保持部の長さを短くすることが課題の１つであった。
【００１２】
本発明は、以上のような課題を解決するためになされたもので、特に、従来のたるみピン及び壁状部材等を用いることなど、端子ピンにからげるステータ巻線の端線にたるみを形成するようにしたレゾルバステータの巻線構造及び方法を提供することを目的とする。
【課題を解決するための手段】
【００１３】
本発明によるレゾルバステータの巻線構造は、輪状ステータの両面に一体成形で設けられた絶縁カバー部材と、前記絶縁カバー部材の一部から外方へ突出し複数の端子ピンを有する端子ピン保持部とを備え、前記輪状ステータに巻回されたステータ巻線の端線を前記端子ピンにからげ、前記端子ピンと前記ステータ巻線との間の前記端線にたるみ部を形成するようにしたレゾルバステータの巻線構造において、前記端線をからげる前の前記端子ピンのＬ字形曲折部は鋭角をなし、前記からげ後の前記Ｌ字形曲折部は前記鋭角よりも大の角度とすることにより、前記端線に前記たるみ部を形成する構成であり、また、前記Ｌ字型曲折部は、前記端子ピン保持部に形成された凹状空隙内に露出している構成であり、また、前記Ｌ字型曲折部が前記鋭角よりも大の角度となる前記角度は９０度又はそれ以上である構成であり、また、本発明によるレゾルバステータの巻線方法は、輪状ステータの両面に一体成形で設けられた絶縁カバー部材と、前記絶縁カバー部材の一部から外方へ突出し複数の端子ピンを有する端子ピン保持部とを備え、前記輪状ステータに巻回されたステータ巻線の端線を前記端子ピンにからげ、前記端子ピンと前記ステータ巻線との間の前記端線にたるみ部を形成するようにしたレゾルバステータの巻線方法において、前記端線をからげる前の前記端子ピンのＬ字形曲折部は鋭角をなし、前記からげ後の前記Ｌ字形曲折部は前記鋭角よりも大の角度とすることにより、前記端線に前記たるみ部を形成する方法であり、また、前記Ｌ字型曲折部は、前記端子ピン保持部に形成された凹状空隙内に露出している方法であり、また、前記Ｌ字型曲折部が前記鋭角よりも大の角度となる前記角度は９０度又はそれ以上である方法である。
【発明の効果】
【００１４】
本発明によるレゾルバステータの巻線構造及び方法は、以上のように構成されているため、次のような効果を得ることができる。
すなわち、輪状ステータの両面に一体成形で設けられた絶縁カバー部材と、前記絶縁カバー部材の一部から外方へ突出し複数の端子ピンを有する端子ピン保持部とを備え、前記輪状ステータに巻回されたステータ巻線の端線を前記端子ピンにからげ、前記端子ピンと前記ステータ巻線との間の前記端線にたるみ部を形成するようにしたレゾルバステータの巻線構造及び方法において、前記端線をからげる前の前記端子ピンのＬ字形曲折部は鋭角をなし、前記からげ後の前記Ｌ字形曲折部は前記鋭角よりも大の角度とすることにより、前記端線に前記たるみ部を形成することができ、従来のたるみピン及び壁状部材等を用いる必要がなくなる。また、これにより、端子ピン保持部の突出長さを従来よりも短くすることができ、１スロット目から端子ピンまでの区間が短くなるため、ワニス含侵による端線の固定をしなくても耐震動性及び耐熱衝撃性を確保でき、信頼性を大幅に向上できる。
また、前記Ｌ字型曲折部は、前記端子ピン保持部に形成された凹状空隙内に露出していることにより、端子ピンの曲げ動作が容易となる。
また、前記Ｌ字型曲折部が前記鋭角よりも大の角度となる前記角度は９０度又はそれ以上であることにより、端子ピンのわずかな曲げ戻し動作により、たるみ部を簡単に形成することができる。
【図面の簡単な説明】
【００１５】
【図１】本発明によるレゾルバステータの巻線構造及び方法の巻線前状態を示す断面図である。
【図２】図１の巻線後状態を示す断面図である。
【図３】図２の巻線後の状態から端子ピンのＬ字型曲折部の曲げ角度を９０度としてたるみ部を形成した状態を示す断面図である。
【図４】従来のレゾルバステータの巻線構造を示す断面図である。
【図５】図４の要部の構造を拡大して示す分解斜視図である。
【発明を実施するための形態】
【００１６】
本発明によるレゾルバステータの巻線構造及び方法は、従来のたるみピン及び壁状部材等を用いることなく、端子ピンにからげるステータ巻線の端線にたるみ部を形成することである。
【実施例】
【００１７】
以下、図面と共に本発明によるレゾルバステータの巻線構造及び方法の好適な実施の形態について説明する。
尚、従来例と同一又は同等部分には、同一符号を付して説明する。
図１において、符号１で示されるものは、全体形状が輪状をなす輪状ステータであり、この輪状ステータ１１の内面には、所定角度間隔で内方へ向けて突出する複数の突出磁極１２が形成されている。
【００１８】
前記輪状ステータ１１の両端面には、樹脂成形によって一体に形成された絶縁カバー部材１が設けられており、この絶縁カバー部材１を介して前記各突出磁極１２にステータ巻線１２ａが巻回されている。
前記絶縁カバー部材１の一部には、前記輪状ステータ１１の半径方向Ａに沿って延設された端子ピン保持部２が形成されている。
【００１９】
前記端子ピン保持部２には、全体形状がＬ字型をなす複数の端子ピン３がインサート成形によって形成されており、この端子ピン３のＬ字型曲折部３Ａの曲折の角度θは９０度以下の鋭角にて形成されている。
前記Ｌ字型曲折部３Ａは、前記端子ピン保持部２の一面２ａに形成された凹状空隙２ｂ内に露出した状態で内設されており、前記Ｌ字型曲折部３Ａの立設部３Ａａには、図２のように、前記ステータ巻線１２ａの端線１２ａＡがからげられるように構成されている。
【００２０】
前記輪状ステータ１１の内側には、周知のＶＲ型のロータ１３が回転軸１４を介して回転自在に設けられている。
次に、前述の構成において、図１は前記輪状ステータ１１に対してステータ巻線１２ａが、未だ設けられていない状態を示している。
次に、図２においては、前記輪状ステータ１１に対して前記ステータ巻線１２ａが巻回され、その端線１２ａＡが前記端子ピン３の立設部３Ａａにからげられている。
【００２１】
前述の図１及び図２においては、前記端子ピン３のＬ字型曲折部３Ａの角度θは鋭角であるが、図２の状態において前記立設部３Ａａを矢印Ｂの方向に引くと、前記立設部３Ａａは、図２から図３で示されるように曲折され、前記角度θが９０度又はそれ以上（又は９０度よりもやや以下）の状態となり、前記端線１２ａＡが緩和されることによってたるみ部１２ａＢが形成されている。
【００２２】
従って、前記端子ピン保持部２に従来から用いられていたピン挿入孔６及びたるみピン５又は曲折した壁状部材を用いてたるみ部１２ａＢを形成する必要が無いため、例えば、図３と図４の各端子ピン保持部２の半径方向Ａに沿う長さＬが従来よりも大幅に短くできることが明らかとなっている。
【００２３】
また、前記輪状ステータ１１の図示しない１スロット目から端子ピン３までの区間の端線１２ａＡは、熱衝撃時の伸縮で断線することを避けるためのたるみ部１２ａＢの形成が簡単に行なわれることにより、レゾルバの量産を容易に行うことができる。
また、前述の１スロット目から端子ピン３までの区間の端線１２ａＡの距離が従来よりも短くなるため、外部振動に共振して断線することも、ワニス固定を行うことなく防止することができる。
【産業上の利用可能性】
【００２４】
本発明によるレゾルバステータの巻線構造及び方法は、従来のたるみピン及び壁状部材等を用いることなく、端子ピンにからげるステータ巻線の端線にたるみ部を形成することができることにより、量産が可能となる。
【符号の説明】
【００２５】
１    絶縁カバー部材
２    端子ピン保持部
２ａ    一面
２ｂ    凹状空隙
３    端子ピン
３Ａ    Ｌ字型曲折部
３Ａａ    立設部
１１    輪状ステータ
１２    突出磁極
１２ａ    ステータ巻線
１３    ロータ
１４    回転軸
【図１】
2016054589.tif 000003
【図２】
2016054589.tif 000004
【図３】
2016054589.tif 000005
【図４】
2016054589.tif 000006
【図５】
2016054589.tif 000007